(57)【要約】【課題】  アルキド樹脂合成装置の外部に設けた生成物回収部により水分を回収することによって、水分が合成装置内に逆流することによる急激な沸騰を防止することができるアルキド樹脂合成装置を提供する。【解決手段】反応槽と攪拌部と不活性ガス供給部と排気部を少なくとも有し、脂肪酸等と多価アルコールとエステル交換触媒を配合したエステル交換物に対し、多塩基酸又は酸無水物等を配合して加熱し、脱水重合反応によりアルキド樹脂を合成するアルキド樹脂合成装置において、反応槽の脱水重合反応により生じた生成物である生成水と副生成物である酸性ガスを回収し、生成水と酸性ガスを分離して処理する生成物回収部を反応槽より下方の位置に設けたことを特徴とするアルキド樹脂合成装置である。  【選択図】図１
2009263452.tif 000002
【特許請求の範囲】
【請求項１】
反応槽と攪拌部と不活性ガス供給部と排気部を少なくとも有し、脂肪酸等と多価アルコールとエステル交換触媒を配合したエステル交換物に対し、多塩基酸又は酸無水物等を配合して加熱し、脱水重合反応によりアルキド樹脂を合成するアルキド樹脂合成装置において、前記反応槽より下方の位置に、前記反応槽の脱水重合反応により生じた生成物である生成水と副生成物である酸性ガスを回収し、前記生成水と前記酸性ガスを分離して処理する生成物回収部を更に設けたことを特徴とするアルキド樹脂合成装置。
【請求項２】
前記生成物回収部は、前記反応槽の天井部から鉛直方向に設けられた前記生成水と前記酸性ガスを回収する生成物回収管と、前記生成物回収管に接続されて前記生成水と前記酸性ガスを分離して回収し、かつ、前記生成水が前記反応槽に逆流することを防止する緩衝トラップと、
前記緩衝トラップの天井に設けられ、前記緩衝トラップにより分離された前記酸性ガスを回収する臭気回収管と、
天井部を前記臭気回収管と接続され、前記臭気回収管により回収された前記酸性ガスを中和して臭気を低減するためのアルカリ性溶液を内部に有する脱臭トラップと、
前記脱臭トラップの天井部に設けられ、前記脱臭トラップにより臭気を低減された前記酸性ガスを前記排気部に送る排気管から成ることを特徴とする請求項１に記載のアルキド樹脂合成装置。
【請求項３】
前記アルカリ性溶液は、１〜５重量％の炭酸ナトリウム溶液であることを特徴とする請求項１又は２のいずれかに記載のアルキド樹脂合成装置。
【請求項４】
脂肪酸等と多価アルコールとエステル交換触媒とを配合してエステル交換物を合成するエステル交換物合成手段と、
前記エステル交換物を不活性ガスの供給下において加熱し、前記エステル交換物のエステル交換を促進する手段と、
前記加熱後の前記エステル交換物を冷却する手段と、
冷却後の前記エステル交換物に多塩基酸又は酸無水物を配合する配合物合成手段と、
前記配合物を不活性ガスの供給下において加熱し、脱水重合反応を促進させ、加熱温度を一定に保持してアルキド樹脂の酸価を調整する酸価調整手段と、
前記酸価調整手段により生じた生成物である生成水と副生成物である酸性ガスを回収して処理する生成物回収手段と、
を有することを特徴とするアルキド樹脂の合成方法。
【請求項５】
前記生成物回収手段は、前記生成水が前記混合物に逆流することを防止するために前記生成水と前記酸性ガスを分離し、前記生成水を回収して排出する生成水処理手段と、
前記酸性ガスをアルカリ性溶液により中和して臭気を低減する臭気低減手段と、
前記臭気を低減された前記酸性ガスを排出する臭気排出手段と、から成ることを特徴とする請求項４に記載のアルキド樹脂の合成方法。
【発明の詳細な説明】
【技術分野】
【０００１】
本発明は、インキ及び塗料等のワニス組成物であるアルキド樹脂を合成する装置に関するものである。
【背景技術】
【０００２】
インキ及び塗料等に使用されるアルキド樹脂ワニスは、アルキド樹脂等を反応釜で加熱しながら反応させることにより製造されている。
【０００３】
例えば、ワニスに使用するアルキド樹脂等を製造する装置としては、酸無水物とキシレン等を加熱して反応させる反応釜と、反応物から生じた水分とキシレンを凝縮して液化するコンデンサと、液化したキシレンと水をデカンタに貯留させてキシレンと水を分離し、キシレンのみを合成装置へ戻す還流装置から成るアルキド樹脂等の合成装置が知られている。
【０００４】
その一例としては、酸無水物、多価アルコールを有機溶媒中で反応させることを特徴とするアルキド樹脂の合成方法であって、加熱装置、攪拌部、温度計、還流冷却管（コンデンサ）、窒素導入管、水分離機を備えた反応釜によりアルキド樹脂を製造する旨の記載がある（例えば、特許文献１参照）。
【０００５】
また、無水マレイン酸を配合させて得られるアルキド樹脂の発明であって、攪拌部、温度計、精留塔付脱水トラップ管及び窒素導入管を備えた反応釜によりアルキド樹脂を製造する記載がある。（例えば、特許文献２参照）。
【０００６】
【特許文献１】特開昭６２−２８０２１９号公報
【特許文献２】特許２５２２０７９号公報
【発明の開示】
【発明が解決しようとする課題】
【０００７】
しかしながら、特開昭６２−２８０２１９号公報は、合成時に生成する水分を除去するためにキシレンを使用しているため、人体及び環境へ悪影響を及ぼすおそれがあるという問題があった。
【０００８】
また、特許２５２２０７９号公報は、キシレン等の脱水還流溶剤を使用していないものの小規模な合成を行っており、大規模な合成においては、発生した水分が冷却管に到達する前に凝縮し、合成装置内に逆流して急激な沸騰を引き起こすおそれがあるという問題があった。
【課題を解決するための手段】
【０００９】
本発明は、反応槽と攪拌部と不活性ガス供給部と排気部を少なくとも有し、脂肪酸等と多価アルコールとエステル交換触媒を配合したエステル交換物に対し、多塩基酸又は酸無水物等を配合して加熱し、脱水重合反応によりアルキド樹脂を合成するアルキド樹脂合成装置において、前述の反応槽より下方の位置に、反応槽の脱水重合反応により生じた生成物である生成水と副生成物である酸性ガスを回収し、生成水と酸性ガスを分離して処理する生成物回収部を更に設けたことを特徴とするアルキド樹脂合成装置である。
【００１０】
本発明は、生成物回収部が、反応槽の天井部から鉛直方向に設けられた生成水と酸性ガスを回収する生成物回収管と、生成物回収管に接続されて生成水と酸性ガスを分離して回収し、かつ、生成水が反応槽に逆流することを防止する緩衝トラップと、緩衝トラップの天井に設けられ、緩衝トラップにより分離された酸性ガスを回収する臭気回収管と、天井部を臭気回収管と接続され、臭気回収管により回収された酸性ガスを中和して臭気を低減するためのアルカリ性溶液を内部に有する脱臭トラップと、脱臭トラップの天井部に設けられ、脱臭トラップにより臭気を低減された酸性ガスを排気部に送る排気管から成ることを特徴とするアルキド樹脂合成装置である。
【００１１】
本発明は、アルカリ性溶液が、１〜５重量％の炭酸ナトリウム溶液であることを特徴とするアルキド樹脂合成装置である。
【００１２】
本発明は、脂肪酸等と多価アルコールとエステル交換触媒とを配合してエステル交換物を合成するエステル交換物合成手段と、エステル交換物を不活性ガスの供給下において加熱し、エステル交換物のエステル交換を促進する手段と、加熱後のエステル交換物を冷却する手段と、冷却後のエステル交換物に多塩基酸又は酸無水物を配合する配合物合成手段と、配合物を不活性ガスの供給下において加熱し、脱水重合反応を促進させ、加熱温度を一定に保持してアルキド樹脂の酸価を調整する酸価調整手段と、酸価調整手段により生じた生成物である生成水と副生成物である酸性ガスを回収して処理する生成物回収手段と、を有することを特徴とするアルキド樹脂の合成方法である。
【００１３】
本発明は、生成物回収手段が、生成水が混合物に逆流することを防止するために生成水と酸性ガスを分離し、生成水を回収して排出する生成水処理手段と、酸性ガスをアルカリ性溶液により中和して臭気を低減する臭気低減手段と、臭気を低減された酸性ガスを排出する臭気排出手段とから成ることを特徴とするアルキド樹脂の合成方法である。
【発明の効果】
【００１４】
本発明のアルキド樹脂合成装置は、キシレン、トルエン等の共沸溶媒を使用しないアルキド樹脂の合成が可能であるため、人体への悪影響及び環境への負荷を大幅に軽減することができる。
【００１５】
また、本発明のアルキド樹脂合成装置は、コンデンサを使用せず、合成装置の外部に設けた、副生成物回収部により水分を回収するため、水分が合成装置内に逆流することによる急激な沸騰を防止することができる。
【発明を実施するための最良の形態】
【００１６】
以下，図面を参照しながら本発明の実施形態について詳細に説明する。
【００１７】
図１は、本発明のアルキド樹脂合成装置の一例を示すブロック図である。図１に示すように、本発明のアルキド樹脂合成装置は、反応槽１と攪拌部２と不活性ガス供給部３と排気部５を少なくとも有し、点線の部分は、本発明の主要部である副生成物回収部４である。反応槽１は、脂肪酸等と多価アルコールとエステル交換触媒を配合してエステル交換物を合成し、加熱してエステル交換物のエステル交換を促進する。さらに、反応槽１は、エステル交換物に多塩基酸又は酸無水物の配合物を加熱して脱水重合反応を行って酸価を調整する。攪拌部２は、攪拌羽根等をモーター等により駆動して配合物を攪拌し、配合物が均一に加熱されるようにする。不活性ガス供給部３は、配合物の脱水重合反応を促進させるために反応槽１に窒素ガス等の不活性ガスを供給する。生成物回収部４は、反応槽１の配合物の脱水重合反応により生じた生成物である生成水と副生成物である酸性ガスを回収して処理する。排気部５は、生成物回収部４により中和されて臭気が低減されたガスを屋外へ放出する。次に、本発明の主要部である副生成物回収部４について、簡略に説明する。
【００１８】
図１の点線の部分は、本発明の主要部である生成物回収部４の拡大図である。生成物回収部４は、反応槽１に接続された生成物回収管４ａと、生成物回収管４ａに接続された緩衝トラップ４ｂと、緩衝トラップ４ｂの天井部に設けられた臭気回収管４ｃと、臭気回収管４ｃに接続された脱臭トラップ４ｄと、排気部５に接続された脱臭トラップ４ｄの天井部に設けられた排出管４ｅから成っている。
【００１９】
反応槽１に接続された生成物回収管４ａは、反応槽１の脱水重合反応により生じた生成物である生成水と副生成物である酸性ガスを回収して緩衝トラップ４ｂに送る。緩衝トラップ４ｂは、生成物回収管４ａにより回収された生成水が反応槽１に逆流することを防止するため、回収された生成水を留去する。臭気回収管４ｃは、反応槽１の脱水重合反応により生じた酸性ガスを脱臭トラップ４ｄに送る。脱臭トラップ４ｄは、内部のアルカリ性溶液により臭気回収管４ｃから送られた酸性ガスを中和して臭気を低減する。排出管４ｅは、脱臭トラップ４ｄにより中和されて臭気を低減された酸性ガスを排気部５に送り、排気部５により野外にガスを排出する。次に、本発明のアルキド樹脂合成装置について図面を用いて詳細に説明する。
【００２０】
図２は、本発明のアルキド樹脂合成装置Ａ１の概略図である。図２に示すように、本発明のアルキド樹脂合成装置Ａ１は、反応槽１、攪拌部２、不活性ガス供給部３、排気部５、冷却液供給部６、ジャケット７、生成物回収部４を有している。本発明の主要部である生成物回収部４は、生成物回収管４ａと、生成物回収管４ａに接続された反応槽１に生成水が逆流することを防止する緩衝トラップ４ｂと、緩衝トラップ４ｂの天井部に設けられた臭気回収管４ｃと、臭気回収管４ｃに接続された反応槽１の脱水重合反応で生じた臭気を低減する脱臭トラップ４ｄと、排気部５に接続された脱臭トラップ４ｄの天井部に設けられた排出管４ｅから成っている。以下、各構成について説明する。
【００２１】
反応槽１は、脱水重合反応を行うことができる容器であれば特に限定されず、公知のものを使用することができる。反応槽１の形状は、多角型、円筒型等の公知のものを使用できるが、攪拌効率、取扱い性、汎用性等の点から円筒型が好ましい。また、反応槽１の加熱方式は外部ジャケットにスチーム等の熱媒を接触させることによって加熱するものであっても良いし、反応槽の内部にコイル等の伝熱装置を備えていて加熱するものであっても良い。なお、反応槽１の温度は、１９０℃から２５０℃であることが好ましく、より好ましいのは２２０℃である。１９０℃未満では、脱水重合反応が遅延し、２５０℃以上では合成されたアルキド樹脂が変色するからである。
【００２２】
攪拌部２は、反応槽１の脱水重合反応を均一に効率よく行うものであれば特に限定されず、電動モーター等により駆動する公知のものを使用することができる。また、攪拌部の材質は、ステンレス鋼等の耐熱性及び耐腐食性を有する金属であれば特に制限されず、公知のものを使用することができる。また、攪拌部２の撹拌羽根の形状、大きさ等は、反応槽１内の反応液の温度及び濃度が均一化されるものであればよく、特に制限されるものではない。
【００２３】
不活性ガス供給部３は、反応槽１へ供給する不活性ガスの流量を制御することができれば特に限定されず、公知のものを使用することができる。また、供給する不活性ガスは、反応物に着色や変成、分解等の悪影響を及ぼさないガスが良く、窒素、アルゴン、ヘリウム、二酸価炭素等が好ましい。もちろん、不活性ガスにはこれらの混合ガスも含む。
【００２４】
不活性ガス供給部３から供給される不活性ガスの量は、３００ｍｌ／ｍｉｎ〜１７００ｍｌ／ｍｉｎとすることが好ましい。３００ｍｌ／ｍｉｎ未満では、脱水重合反応が遅延するからである。なお、不活性ガスの量を多くした場合は脱水重合反応が早くなるが、経済性を考慮するため１７００ｍｌ／ｍｉｎ以下であることが好ましい。次に、本発明の主要部である副生成物回収部４について詳細に説明する。
【００２５】
生成物回収部４は、生成物回収管４ａ、緩衝トラップ４ｂ、臭気回収管４ｃ、脱臭トラップ４ｄ、排気管４ｅから成り、反応槽１より下方の位置に配置されている。生成物回収部４は、コンデンサを使わずに生成水を回収することを特徴とするものである。また、反応槽１より下方に配置されているのは、脱水重合反応により生じた酸性ガスと生成水を効率良く回収し、生成水が反応槽１に逆流することを防止するためである。
【００２６】
生成物回収管４ａは、反応槽１の脱水重合反応により生じた生成物である生成水と副生成物である酸性ガスを速やかに緩衝トラップ４ｂに送る必要があるため、反応槽１の天井部に接続され、反応槽１の近傍、かつ鉛直方向に沿って設けられている。反応槽１の脱水重合反応により生じた酸性ガスを効率的に回収すると共に、反応槽１に生成水が滴下することを防止するためである。生成物回収管４ａは、生成水と酸性ガスを速やかに緩衝トラップ４ｂに送ることが好ましく、反応槽１の天井部又は反応槽１の側面上部に設けることが好ましい。また、生成物回収管４ａの形状は、生成水と酸性ガスを速やかに緩衝トラップ４ｂに送ることができればよく、例えばＵ字型の配管等を用いることができる。なお、生成物回収管４ａは、耐熱性及び耐腐食性を有する金属であることが好ましい。
【００２７】
緩衝トラップ４ｂは、生成物回収管４ａと接続され、回収された生成水を内部に蓄え、外部に排出する。反応槽１が突沸した場合において安全にアルキド樹脂等を受けると共に、反応槽１内の減圧による生成水の逆流を防止するためである。緩衝トラップ４ｂの材質は、ステンレス鋼等の耐熱性及び耐腐食性を有する金属であることが好ましく、内部に炭酸ナトリウム等のアルカリ溶液を使用することがより好ましい。反応槽１の合成により生じた酸性ガスを中和するためである。また、緩衝トラップ４ｂの容量は、反応物の全量以上であることが好ましい。なお、使用する溶液の濃度は、１〜５％であることが好ましい。１％の未満の場合は、酸性ガスを中和することが困難であり、５％以上の場合は経済性に欠けるからである。
【００２８】
臭気回収管４ｃは、緩衝トラップ４ｂの天井部と脱臭トラップ４ｄの天井部又は側面部に接続され、反応槽１の脱水重合反応により生じた酸性ガスを脱臭トラップ４ｄ内部の炭酸ナトリウム等のアルカリ溶液に効率よく送るものである。なお、臭気回収管４ｃは、脱臭トラップｄ内部に満たされた炭酸ナトリウム等のアルカリ溶液と接触するため耐熱性及び耐腐食性を有する金属であることが好ましい。
【００２９】
脱臭トラップ４ｄは、反応槽１の脱水重合反応で生じた酸性ガスの臭気を低減させるものである。脱臭トラップ４ｄの材質は、ステンレス鋼等の耐腐食性を有する金属であることが好ましい。また、緩衝トラップ４ｂにおいて低減できなかった臭気を中和し、屋外へ安全に排出するため、脱臭トラップ４ｄの内部に使用するアルカリ溶液は、炭酸ナトリウム等を使用することが好ましい。なお、使用する炭酸ナトリウム等のアルカリ溶液の濃度は、１〜５％であることが好ましい。１％の未満の場合は、酸性ガスを中和することが困難であり、５％以上の場合は経済性に欠けるからである。
【００３０】
排気管４ｅは、脱臭トラップ４ｄの天井部に設けられ、脱臭トラップ４ｄにより中和されて臭気を低減されたガスを排気部５に送る。また、排気管４ｅは、臭気が低減された酸性ガスを排気部５に送ることができれば特に限定されず、樹脂、金属等による配管を使用することができる。
【００３１】
排気部５は、脱臭トラップ４ｂで中和されて臭気の低減されたガスを屋外へ排出することができれば特に限定されず、ドラフト等の局所排出装置等の公知のものを使用することができる。
【００３２】
外部ジャケット７は、反応槽１本体の側面外周部に設けられていればよく、反応槽本体底面部にも設けられていれば、さらに好ましい。なお、外部ジャケット７に用いる熱媒には、スチーム、熱油等の公知のものを利用することができる。また、外部ジャケット７に用いる冷媒には、公知の冷却液供給部６により水、油等を使用することができる。
【００３３】
次に、本発明のアルキド樹脂の合成方法の一例について説明する。
【００３４】
図３は、本発明のアルキド樹脂の合成方法の一例を示すフローチャートである。上記方法により合成されるアルキド樹脂は、脂肪酸等、多価アルコール、エステル交換触媒を配合させてエステル交換を行ってエステル交換物を合成し、エステル交換物に対して多塩基酸又は酸無水物等を配合し、脱水重合反応を起させることにより得られるものである。本発明のアルキド樹脂の合成方法は、脂肪酸等（１）、多価アルコール（２）、エステル交換触媒（３）を配合してエステル交換物を合成するエステル交換物合成手段（Ｓ１）と、不活性ガスの存在下において加熱し、エステル交換物のエステル交換を促進する手段（Ｓ２）と、加熱後にエステル交換物を冷却する手段（Ｓ３）と、冷却後のエステル交換物に多塩基酸又は酸無水物（４）を配合する配合物作製手段（Ｓ４）と、不活性ガスの存在下において配合物を加熱して脱水重合反応を促進させ、加熱温度を一定に保持してアルキド樹脂の酸価を調整する酸価調整手段（Ｓ５）と、調整手段（Ｓ５）により生じた生成物である生成水と副生成物である酸性ガスを回収する生成物回収手段（Ｓ６）と、回収手段（Ｓ６）により回収された生成水と酸性ガスを分離して生成水を回収して排出する生成水処理手段（Ｓ７）と、酸性ガスを中和して臭気を低減する臭気低減手段（Ｓ８）、臭気を低減された酸性ガスを排出する臭気排出手段（Ｓ９）とから成っている。以下、合成方法について詳細に説明する。
【００３５】
エステル交換物合成手段（Ｓ１）は、反応槽１に脂肪酸等（１）、多価アルコール（２）、エステル交換触媒（３）を配合する手段である。エステル交換促進手段（Ｓ２）は、反応槽１に対して不活性ガス供給部３により窒素ガスを供給し、２００〜２５０℃まで昇温して加熱してエステル交換物のエステル交換を促進する手段である。冷却手段（Ｓ３）は、エステル交換物を２５０℃において３０分から１時間加熱して保持した後に、エステル交換物を常温において保持し、常温まで冷却する手段である。多塩基酸又は酸無水物（４）を配合する手段（Ｓ４）は、常温まで冷却されたエステル交換物に対して脱水重合反応に必要な多塩基酸又は酸無水物等を配合する手段である。酸価調整手段（Ｓ５）は、反応槽１に対して不活性ガス供給部３により窒素ガスを３００ｍｌ／ｍｉｎ〜１７００ｍｌ／ｍｉｎを供給し、多塩基酸又は酸無水物（４）を加えた配合物を１９０〜２３０℃に加熱して、２２０℃の温度下において３時間から５時間程度保持してアルキド樹脂の酸価を調整する手段である。
【００３６】
生成物回収手段（Ｓ６）は、反応槽１の脱水重合反応により生じた生成物である生成水と副生成物である酸性ガスを生成物回収管４ａにより回収し、生成水と酸性ガスを生成水処理手段（Ｓ７）に送る。生成水処理手段（Ｓ７）は、緩衝トラップ４ｂにより生成物回収手段（Ｓ６）から送られた生成水と酸性ガスを分離して生成水を留去・排出し、酸性ガスを臭気回収管により臭気低減手段（Ｓ８）に送る。臭気低減手段（Ｓ８）は、生成水処理手段（Ｓ７）から送られた酸性ガスを炭酸ナトリウム等のアルカリ溶液により中和して臭気を低減する。臭気排出手段は（Ｓ９）、臭気低減手段（Ｓ８）により臭気を低減された酸性ガスを排気管により局所排気装置等（ドラフト等）に送り、屋外へ排出する。次に、本発明の合成装置又は合成方法に用いられるアルキド樹脂の原料である脂肪酸等、多価アルコール、エステル交換触媒、多塩基酸又は酸無水物について説明する。
【００３７】
上記脂肪酸等としては、乾性油（半乾性油も含む）脂肪酸（ヨウ素価約１００以上）、不乾性油脂肪酸（ヨウ素価約１００未満）及びこれらの油脂等が使用できる。乾性油脂肪酸としては、例えば、サフラワー油脂肪酸、アマニ油脂肪酸、ダイズ油脂肪酸、ゴマ油脂肪酸、ケシ油脂肪酸、エノ油脂肪酸、麻実油脂肪酸、ブドウ核脂肪酸、トウモロコシ油脂肪酸、トール油脂肪酸、ヒマワリ油脂肪酸、綿実油脂肪酸、クルミ油脂肪酸、桐油脂肪酸、脱水ヒマシ油脂肪酸、米ヌカ油脂肪酸及びこれらのダイマー酸等があげられ、不乾性油脂肪酸としては、例えば、ヤシ油脂肪酸等を使用することができる。
【００３８】
上記多価アルコールとしては、例えばエチレングリコール、ジエチレングリコール、トリエチレングリコール、プロピレングリコール、ジプロピレングリコール、ブタンジオール、ネオペンチルグリコール、１,２−、１,３−、２,３−、１,４−ブチレングリコール、ペンタジオール、２,３−ジメチルプロパンジオール、１,６−、２,５−ヘキサンジオール、水素化ビスフェノールＡ、シクロヘキサンジメタノール、トリメチレングリコール、テトラメチレングリコール、ヘキサメチレングリコール、トリメチロールエタン、トリメチロールプロパン、グリセリン、ジグリセリン、ジペンタエリスリトール、ソルビトール等があり、これらから選ばれた一種又は二種以上を使用することができる。
【００３９】
上記エステル交換触媒としては、水酸価リチウム、水酸価ナトリウム、水酸価カリウム等の公知のものを使用することができる。
【００４０】
上記多塩基酸又は酸無水物は、１分子中に二個以上のカルボキシル基をもつ多価カルボン酸価合物からなり、当該化合物としては、例えば、コハク酸、アジピン酸、アゼライン酸、セバシン酸、ドデシニルコハク酸及びこれらの無水物等の脂肪族飽和二塩基酸、マレイン酸、フマル酸、イタコン酸及びこれらの無水物等の脂肪族不飽和二塩基酸、フタル酸、イソフタル酸、テレフタル酸、トリメリット酸、ピロメリット酸及びこれらの無水物等の芳香族多塩基酸、テトラヒドロフタル酸、メチルシクロヘキセントリカルボン酸、ヘキサヒドロフタル酸、ハイミック酸、ヘット酸、テトラクロロフタル酸、シクロヘキサンジカルボン酸、４−メチルヘキサヒドロフタル酸、ヘキサヒドロ無水フタル酸、ヘキサヒドロトリメリット酸及びこれらの無水物等の脂環族多塩基酸等があげられ、これらから選ばれた一種又は二種以上を使用できる。
【００４１】
なお、上記方法により合成されるアルキド樹脂の酸価は、１５〜３０になるように調整することが好ましい。酸価が大きすぎると、乾燥性が劣るからである。また、酸価が小さすぎると、他の樹脂との相溶性が低下するからである。
【００４２】
また、上記方法により合成されたアルキド樹脂には、必要に応じて、顔料、その他の添加剤を添加するこができる。
〔実施例〕
【００４３】
以下、本発明のアルキド樹脂合成装置について具体的な実施例を挙げ、詳細に説明する。
【００４４】
本発明の反応装置Ａ１を用いて合成するアルキド樹脂は、一例として、脂肪酸等（１）には、植物油である大豆油、多価アルコール（２）としては、エチレングリコール、エステル交換触媒（３）としては、水酸価リチウム、多塩基酸又は酸無水物（４）としては、ヘキサヒドロ無水フタル酸を使用し、各種材料の配合量は、以下の表１に示した。
【００４５】
【表１】
2009263452.tif 000003
【００４６】
反応槽１は、容量３０ｌの低周波誘導加熱式反応槽を使用した。攪拌部２の回転数を１５０ｒｐｍにして攪拌した。不活性ガス供給部３により供給するガスは、窒素ガスを使用した。緩衝トラップ４ｂには、容量１８ｌのステンレス製の容器を使用し、５％の炭酸ナトリウム溶液を使用した。脱臭トラップ４ｄには、容量５ｌのステンレス製の容器を使用し、５％の炭酸ナトリウム溶液を使用した。導入部の配管は、脱臭トラップ４ｄの底部に近いことが好ましい。排気部５には、局所排気部を使用した。冷却には、鉱物油を冷却液供給部６により循環して冷却した。ジャケット７は、誘導コイルにより加熱した。
【００４７】
反応槽１に、表１に示した材料である大豆油とエチレングリコールと水酸価リチウムを仕込み、窒素ガスを供給しながら加熱を開始し、２５０℃まで昇温して３０分間保持した後、室温まで冷却した。その後、ヘキサヒドロ無水フタル酸を加えた。
【００４８】
ヘキサヒドロ無水フタル酸を加えた後、表２の実施例１から実施例６に示すように窒素ガスの流量を変化させて置換し、２２０℃にして加熱して反応物酸価の値を２５以下になるように反応時間を調整した。
【００４９】
【表２】
2009263452.tif 000004
【００５０】
実施例１〜６では、反応槽１の合成により生じた生成水を生成物回収部４の緩衝トラップ４ｂから効率的に留去することができ（図示せず）、目的とする酸価のアルキド樹脂を１８ｋｇ得ることができた。また、緩衝トラップ４ｂにより急激な沸騰による反応物の反応槽外への流出は無かった。さらに、脱臭トラップ４ｄにより酸性ガスの臭気を低減することができた。
【００５１】
次に、本発明のアルキド樹脂合成装置Ａ１と従来例を比較するため、図４の従来のアルキド樹脂合成装置Ａ２により上記表１の配合例によりアルキド樹脂を合成した。なお、反応温度、窒素流量等は、表２の実施例１から実施例６と同様にして行った。
【００５２】
（比較例）
図４は、従来例のアルキド樹脂合成装置Ａ２の概略図である。図４に示すように、アルキド樹脂合成装置Ａ２は、反応槽１、攪拌部２、不活性ガス供給部３、排気部５、冷却液供給部６、ジャッケット７、コンデンサ８により構成されている。
【００５３】
図４に記載のアルキド樹脂合成装置Ａ２では、反応槽１の合成により生じた生成水をコンデンサ８から効率的に留去することが困難であるため（図示せず）反応が遅く、コンデンサ８からの水滴により反応槽１に急激な沸騰が起こった。
【図面の簡単な説明】
【００５４】
【図１】本発明のアルキド樹脂合成装置のブロック図である。
【図２】本発明のアルキド樹脂合成装置の概略図である。
【図３】本発明のアルキド樹脂合成装置によるアルキド樹脂の合成方法を示すフローチャートである。
【図４】従来のアルキド樹脂合成装置の概略図である。
【符号の説明】
【００５５】
Ａ１  本発明のアルキド樹脂合成装置
Ａ２  従来のアルキド樹脂合成装置
１    反応槽
２    攪拌部
３    不活性ガス供給部
４    生成物回収部
４ａ  生成物回収管
４ｂ  緩衝トラップ
４ｃ  臭気回収管
４ｄ  脱臭トラップ
４ｅ  排気管
５    排気部
６    冷却液供給部
７    ジャケット
９    コンデンサ
【図１】
2009263452.tif 000005
【図２】
2009263452.tif 000006
【図３】
2009263452.tif 000007
【図４】
2009263452.tif 000008